(57)【要約】【課題】電解プレートの占める体積を効果的に縮小させる健康用水素発生器を提供する。【解決手段】健康用水素発生器は、緊密に配列される同じ規格の電解プレート１０により電解プレートセット２００が装設され、且つ電解ホール１３を有する複数枚の電解プレート１０が順に交錯されるように配列され、陽極及び陰極をそれぞれ導入させると共に水溶液を電解させる。また、電解プレート１０が占める体積を有効的に縮小させ、水素発生器の製造コストを大幅に減少させる。また、二重の濾過効果を有し、より高品質の水素が得られ、携帯式の水素発生器が形成される。使用者が水素を吸い、かつ、重水素減少水（ｄｅｐｌｅｔｅｄ  ｄｅｕｔｅｒｉｕｍ  ｗａｔｅｒ）を飲むことができ、これにより最良の健康効果が達成される。【選択図】図３
0003211060.tif 000002
【実用新案登録請求の範囲】
【請求項１】
各々の中間部に大きい貫通孔及び小さい貫通孔が設けられ、前記大きい貫通孔及び前記小さい貫通孔の中心から上端面及び下端面までの距離はそれぞれ同じであり、且つ前記大きい貫通孔及び前記小さい貫通孔の両側には複数の電解ホールが設けられる複数枚の電解プレート、
前記電解プレートの前記大きい貫通孔内に嵌入された環状台座及び大きいビアホールを有する絶縁カバー、
前記大きいビアホールに嵌入された複数の導電リング、及び、
前記複数の導電リングが有する小さいビアホールに貫入され一端が導線に接続された第一導電性プラグ及び第二導電性プラグからなり、
前記大きい貫通孔が上側にあるように形成される第一タイプ電解プレートと前記大きい貫通孔が下側にあるように形成される第二タイプ電解プレートとが交互に配列され、前記第一導電性プラグ及び前記第二導電性プラグの両端に設けられたネジ山がナットに螺合することで形成される電解プレートセットを備え、
前記導線に陽極及び陰極の直流電流がそれぞれ入力されると、前記第一導電性プラグから前記第二タイプ電解プレートに通電し、前記第二導電性プラグから前記第一タイプ電解プレートに通電し、隣接する各１枚の前記電解プレートの前記電解ホールにより陽極及び陰極がそれぞれ形成され、前記電解ホールを通過する水溶液が電解され、水素が発生することを特徴とする健康用水素発生器。
【請求項２】
前記電解プレートセットの両側の前記電解プレートには延伸部がそれぞれ設けられ、且つ前記延伸部が係止されることにより前記電解プレートセットが電解タンク中に立設されることを特徴とする、請求項１に記載の健康用水素発生器。
【請求項３】
前記電解プレートの上端及び下端には前記上端面及び前記下端面と等距離離間される複数の固定孔が設けられ、１本以上の固定ボルトが絶縁材料で製造され、交互に配列される前記電解プレートの固定孔内にそれぞれ貫入され、且つ隣接する前記電解プレートの間には絶縁リングが狭入され、前記電解プレートの上端及び下端が歪曲されることにより発生するショートが防止されることを特徴とする、請求項１に記載の健康用水素発生器。
【請求項４】
前記第一導電性プラグに接続される前記導線は陽極または陰極の内の１つの直流電流を導入させ、前記第二導電性プラグに接続される前記導線は前記第一導電性プラグが導入させる陰極または陽極の内の１つの直流電流に対応することを特徴とする、請求項１に記載の健康用水素発生器。
【請求項５】
前記電解タンクは、
内部に水溶液が注入される開口部と、
前記電解タンクの上方の開口部にロックされ、表面の一側には第一投入孔が設けられ、他側には第二投入孔が設けられる上蓋と、
前記第一投入孔から前記電解タンク内に投入され、滅菌布が内設され、第一シールカバーにより前記第一投入孔に定位され、前記第一シールカバーの上には第一排気口が設けられる少なくとも１つのフィルタバケットと、
前記第二投入孔内に設置され、その上に多層滅菌布が設けられ、第二シールカバーにより前記第二投入孔に定位され、前記第二シールカバーには入気口及び第二排気口が設けられる少なくとも１つのフィルタシートと、
前記第一排気口及び前記入気口に接続され、且つ一方向弁が設置される接続パイプとを備えることを特徴とする、請求項２に記載の健康用水素発生器。
【考案の詳細な説明】
【技術分野】
【０００１】
本考案は、健康用水素発生器に関する。
【背景技術】
【０００２】
自然界に存在する水は２つの水素原子及び１つの酸素原子で構成される。水素原子は３つの同位体を有する。すなわち、原子量が１の水素（Ｈ）、原子量が２の重水素、及び原子量が３の三重水素（超重水素とも呼ばれる）である。自然界の水域において、水素が結合される水が重水素により代替されるものは重水素水と呼ばれるが、それを飲用した後にはその水の中に含まれる重水素が人体に進入すると、代謝によって排出されにくく、且つ体内に蓄積されて遺伝子の突然変異を引き起こした。また、重水素の存在も腫瘍細胞の分裂を誘発した。つまり、重水素水を飲用することは遺伝や代謝にとって悪影響があった。
【０００３】
そこで、近年、水素発生器を飲用水に結合させて重水素減少水を発生させる設備が開発されている。重水素減少水（ｄｅｐｌｅｔｅｄ  ｄｅｕｔｅｒｉｕｍ  ｗａｔｅｒ）は免疫細胞を活性化させ、新陳代謝を改善させ、老化を遅らせる一定の予防作用を有する。且つ多くの医学関連のニュースが指摘するように、水素は人体に堆積された細胞内の酸及び遊離基を細胞外に排出させ、尿として体外に排出させる。このため、日本ではＨ2が「治療効果」を有する気体であると認められている。治療効果を有するのみならず、生命の危機に晒されている患者を救うことができる気体であり、特に水素を吸入することにより、震えやパーキンソン病等の治療に顕著な効果が現れる。
【考案の概要】
【考案が解決しようとする課題】
【０００４】
しかしながら、従来の水素発生器は設備が高価で、体積も大きく、その応用において多くの人には受け入れられず普及率が低かった。このため、水素発生器の体積を如何に縮小させて製造コストを大幅に下げるかが課題であった。
【０００５】
本考案は、上記課題を解決する為になされたものであり、電解プレートの占める体積を効果的に縮小させる健康用水素発生器を提供することを目的とする。
【０００６】
これにより、水素発生器の製造コストを大幅に減少し、且つ二重の濾過効果を有する。
また、携帯式の水素発生器とし、使用者が水素を吸い、重水素減少水を飲むことで、最良の保健効果が達成される。
【課題を解決するための手段】
【０００７】
本考案に係る健康用水素発生器は、
各々の中間部に大きい貫通孔及び小さい貫通孔が設けられ、大きい貫通孔及び小さい貫通孔の中心から上端面及び下端面までの距離はそれぞれ同じであり、且つ大きい貫通孔及び小さい貫通孔の両側には複数の電解ホールが設けられる複数枚の電解プレート、
電解プレートの大きい貫通孔内に嵌入された環状台座及び大きいビアホールを有する絶縁カバー、
大きいビアホールに嵌入された複数の導電リング、及び、
複数の導電リングが有する小さいビアホールに貫入され一端が導線に接続された第一導電性プラグ及び第二導電性プラグからなり、
大きい貫通孔が上側にあるように形成される第一タイプ電解プレートと大きい貫通孔が下側にあるように形成される第二タイプ電解プレートとが交互に配列され、第一導電性プラグ及び第二導電性プラグの両端に設けられたネジ山がナットに螺合することで形成される電解プレートセットを備え、
導線に陽極及び陰極の直流電流がそれぞれ入力されると、第一導電性プラグから第二タイプ電解プレートに通電し、第二導電性プラグから第一タイプ電解プレートに通電し、隣接する各１枚の電解プレートの電解ホールにより陽極及び陰極がそれぞれ形成され、電解ホールを通過する水溶液が電解され、水素が発生することを特徴とする。
【０００８】
本考案は電解プレートが装設されることにより電解プレートセットが形成され、水溶液が電解されることにより水素が発生する。電解プレートは緊密に配列され、水素の生産効率が高まるのみならず、電解プレートの占める体積が効果的に縮小される。また、第一電解プレートまたは第二タイプ電解プレートのどちらが形成される複数枚の電解プレートかによらず、そのサイズの規格が完全に同じであり、業者は別途成形する必要がなく、且つ大量製造可能な形態であり、製造コストを大幅に削減できる。これにより従来の水素発生器では体積が大きすぎ、設備が高いという欠点を改善させ、携帯式の水素発生器とし、使用者が水素を吸い、重水素減少水を飲むことで、最良の保健効果が達成される。
【図面の簡単な説明】
【０００９】
【図１】一実施形態に係る複数の電解プレートを示す正面図である。
【図２】一実施形態に係る延伸部が設置される電解プレートを示す正面図である。
【図３】一実施形態に係る電解プレートセットを示す分解図である。
【図４】一実施形態に係る電解プレートセットの組立状態を示す正面図である。
【図５】一実施形態に係る電解プレートセットが電解タンクに設置される概略図である。
【図６】一実施形態に係る電解タンクの濾過構造を示す概略図である。
【考案を実施するための形態】
【００１０】
（一実施形態）
以下、本考案の実施形態を図１〜６に基づいて説明する。図１は本考案に係る複数枚の電解プレート１０の構造を示す。電解プレート１０の中間部には大きい貫通孔１１及び小さい貫通孔１２が設けられる。大きい貫通孔１１の中心から上端面までの距離はＬ１であり、小さい貫通孔１２の中心から下端面までの距離はＬ２であり、Ｌ１とＬ２の長さは同じである。また、大きい貫通孔１１及び小さい貫通孔１２の左右及び上下の両側には複数の電解ホール１３が設けられ、本実施形態において電解ホール１３の形状は方形であるが、但しこの限りでない。また、電解プレート１０の上端及び下端には複数の固定孔１４が設けられる。本実施形態において固定孔１４は４つであるが、但しこれに限定されない。上端の固定孔１４から上端面までの距離はＬ３であり、下端の固定孔１４から下端面までの距離はＬ４であり、Ｌ３及びＬ４の長さは同じである。よって、図１から分かるように、大きい貫通孔１１及び小さい貫通孔１２は縦方向の軸線Ｙ−Ｙの両側に左右対称の状態を呈する。また、電解プレート１０の横方向の軸線Ｘ−Ｘの上下両側の電解ホール１３及び固定孔１４の分布は、大きい貫通孔１１及び小さい貫通孔１２の中心点の座標から上下対称の状態を呈する。
【００１１】
第一タイプ電解プレート１０１は、電解プレート１０の大きい貫通孔１１が上に向けられて形成される。第二タイプ電解プレート１０２は、電解プレート１０の大きい貫通孔１１が下に向けられて形成される。さらに第一タイプ電解プレート１０１及び第二タイプ電解プレート１０２が順に交錯されるように配列される。このように配列されると、大きい貫通孔１１及び小さい貫通孔１２の中心点が同じ縦方向の軸線Ｙ−Ｙ及び横方向の軸線Ｘ−Ｘ上に位置され、且つ各１枚の電解プレート１０の電解ホール１３及び固定孔１４が共に同じ縦方向座標及び横方向座標上に分布される。
【００１２】
図２は本考案に係る延伸部が設けられる電解プレートの構造図である。その構造は大きい貫通孔１１及び小さい貫通孔１２を備える。電解ホール１３及び固定孔１４の座標及びサイズは共に図１の電解プレート１０と同じである。延伸部が設けられる電解プレートは、電解プレート１０の下端に延伸部１５が設けられることが、延伸部が設けられない電解プレート１０との唯一の差異である。延伸部が設けられる電解プレートが電解プレートセットの両側の最も外に設置され、大きい貫通孔１１及び小さい貫通孔１２の縦方向の軸線Ｙ−Ｙの両側の電解ホール１３及び固定孔１４が左右対称の状態を呈して分布される。このため、最も右側に設置される電解プレート１０が右側電解プレート１０４として形成され、１８０度回転されて最も左側に設置される電解プレート１０が左側電解プレート１０５として形成される。且つ右側電解プレート１０４及び左側電解プレート１０５が並列されるように装設されると、大きい貫通孔１１及び小さい貫通孔１２の中心点が同じ縦方向の軸線Ｙ−Ｙ及び横方向の軸線Ｘ−Ｘ上に位置する。電解ホール１３及び固定孔１４が共に同じ縦方向座標及び横方向座標上に分布される。また、延伸部１５の下端には折り曲げ部１５１が設けられ、電解タンクに固設されて左側電解プレート１０５及び右側電解プレート１０４を固定させる。
【００１３】
さらに、図３及び図４は本考案に係る電解プレートセット２００の構造である。電解プレートセット２００は、両側の最も外面に設置される左側電解プレート１０５及び右側電解プレート１０４、並びにその両者の間に順に交錯されるように配列される第一タイプ電解プレート１０１及び第二タイプ電解プレート１０２を備える。また、複数の絶縁カバー２０の数量は左側電解プレート１０５及び右側電解プレート１０４並びに第一タイプ電解プレート１０１及び第二タイプ電解プレート１０２の総数量と同じである。絶縁カバー２０は大きいビアホール２１と、環状台座２２と、フランジ２３とを各々有し、環状台座２２は電解プレート１０の大きい貫通孔１１内に嵌入されると共にフランジ２３が電解プレート１０の他側に貼付される。複数の導電リング３０は小さいビアホール３１を各々有し、絶縁カバー２０の大きいビアホール２１内に嵌入される。第一導電性プラグ４１及び第二導電性プラグ４２は導電リング３０の小さいビアホール３１内にそれぞれ貫入され、且つその一端は結合部材４６により導線４３に接続される。
【００１４】
図５は本考案に係る電解プレートセット２００が電解タンクに装設される概略図である。電解タンク６０には上蓋６１が設置され、タンク壁には２組の電気コネクタ６２が設置されて直流電流の入力に用いられる。電解プレートセット２００の両側の最も外にある左側電解プレート１０５及び右側電解プレート１０４は延伸部１５を各々有する。延伸部１５の下端の折り曲げ部１５１が電解タンク６０のタンクの底部に溶接され、同時に２本の導線４３が２組の電気コネクタ６２に個別に接続される。一旦電気コネクタ６２に陽極＋及び陰極−の直流電流が導入されると、電解タンク６０中の水溶液Ｌが電解ホール１３を通過させると共に電解されて水素が発生する。
【００１５】
上述の説明から分かるように、電解プレート１０が装設されることにより電解プレートセット２００が形成され、水溶液Ｌが電解されて水素が発生する。電解プレート１０の厚さは非常に薄く、且つ上端及び下端は固定ボルト５１が固定孔１４に貫入され、電解プレート１０の間には絶縁リング５２が狭入され、電解プレート１０が歪曲されることにより発生するショートが防止される。このため、電解プレート１０が緊密に配列され、水素の生産効率が高まるのみならず、電解プレートセット２００の占める体積が効果的に縮小される。また、第一タイプ電解プレート１０１または第二タイプ電解プレート１０２のどちらで形成されるかによらず、複数枚の電解プレート１０はサイズの規格が完全に同じである。したがって、業者は別途成形する必要がなく、大量製造が可能な形態であるため、製造コストが大幅に減少する。
【００１６】
図６は電解タンクの濾過構造の実施可能な形態をさらに図示する。複数のねじにより電解タンク６０の上方の開口部に螺接される上蓋６１を備え、上蓋６１の表面の一側には第一投入孔６３が設けられ、他側には第二投入孔６４が設けられる。フィルタバケット７０は第一投入孔６３から電解タンク６０内に投入され、滅菌布７３が内設され、第一シールカバー７１により第一投入孔６３に定位され、第一シールカバー７１には第一排気口７２が設けられる。少なくとも１つのフィルタシート８０が第二投入孔６４に内設され、その上には多層滅菌布８６が設けられ、第二シールカバー８１により第二投入孔６４に定位され、第二シールカバー８１には入気口８２及び第二排気口８３が設けられる。接続パイプ９０は第一排気口７２及び入気口８２に接続され、接続パイプ９０には一方向弁９１が設けられる。
【００１７】
上記の技術的特徴により、本考案に係る電解タンク６０内の電解プレートセット２００は、水溶液Ｌが電解されて水素が発生し、水溶液及び水素は先ずフィルタバケット７０及び滅菌布７３により第１段階の濾過及び滅菌が行われる。上昇した水素が接続パイプ９０を経由して第二投入孔６４内に送られ、フィルタシート８０及び多層滅菌布８６により第２段階の濾過及び滅菌が行われる。その後、第二排気口８３から排出され、液体及び水素の二重の濾過が行われ、より高品質の水素が得られる。さらに携帯式の水素発生器となり、使用者が水素を吸い、重水素減少水を飲むことで、最良の保健効果が達成される。
【００１８】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良または変更は、実用新案登録請求の範囲に含まれるものとする。尚、以上説明した実施の形態は、実用新案登録請求の範囲に記載された本考案の内容を限定するものではない。また、説明した構成の全てが、本考案の必須要件であるとは限らない。
【符号の説明】
【００１９】
１０  電解プレート
１０１  第一タイプ電解プレート
１０２  第二タイプ電解プレート
１０４  右側電解プレート
１０５  左側電解プレート
１１  大きい貫通孔
１２  小さい貫通孔
１３  電解ホール
１４  固定孔
１５  延伸部
１５１  折り曲げ部
２０  絶縁カバー
２００  電解プレートセット
２１  大きいビアホール
２２  環状台座
２３  フランジ
３０  導電リング
３１  小さいビアホール
４１  第一導電性プラグ
４２  第二導電性プラグ
４３  導線
４４  ネジ山
４５  ナット
４６  結合部材
５１  固定ボルト
５２  絶縁リング
６０  電解タンク
６１  上蓋
６２  電気コネクタ
６３  第一投入孔
６４  第二投入孔
６７  ワッシャー
７０  フィルタバケット
７１  第一シールカバー
７２  第一排気口
７３  滅菌布
８０  フィルタシート
８１  第二シールカバー
８２  入気口
８３  第二排気口
８６  多層滅菌布
９０  接続パイプ
９１  一方向弁
【図１】
0003211060.tif 000003
【図２】
0003211060.tif 000004
【図３】
0003211060.tif 000005
【図４】
0003211060.tif 000006
【図５】
0003211060.tif 000007
【図６】
0003211060.tif 000008